(57)【要約】【課題】本体に対して支持脚がワンタッチで着脱でき、しかも支持脚を本体に取付けたままワンタッチで折畳むことができるテーブル等の支持脚の取付け装置を提供することにある。【解決手段】本体２に取付けられる第１の取付け金具６と、支持脚３に取付けられる第２の取付け金具７とからなり、第１の取付け金具６は、係合凹部１０と、この係合凹部１０に突出して設けられた回転可能な操作軸１１と、この操作軸１１に側方へ突出して設けられたロックピン１３とを備え、第２の取付け金具７は、操作軸１１に嵌合される嵌合孔２０を有し、この嵌合孔２０の周縁部に操作軸１１の回転角度によってロックピン１３と係合して第１の取付け金具６に対して第２の取付け金具７が固定されるロック部２１とロックピン１３とのロックが解除されるロック解除部２２とを備えていることを特徴とする。【選択図】  図４
2005118362.tif 000002
【特許請求の範囲】
【請求項１】
テーブル等の本体に取付けられる第１の取付け金具と、前記テーブル等の支持脚に取付けられる第２の取付け金具とからなり、
前記第１の取付け金具は、前記支持脚が係合される係合凹部と、この係合凹部の内部に突出して設けられた回転可能な操作軸と、この操作軸に側方へ突出して設けられたロックピンとを備え、
前記第２の取付け金具は、前記支持脚を前記係合凹部に係合したとき、前記操作軸に嵌合される嵌合孔を有し、この嵌合孔の周縁部に前記操作軸の回転角度によって前記ロックピンと係合して前記第１の取付け金具に対して前記第２の取付け金具が固定されるロック部と前記ロックピンとのロックが解除され、前記第１の取付け金具と前記第２の取付け金具とが分離されるロック解除部とを備えていることを特徴とするテーブル等における支持脚の取付け装置。
【請求項２】
テーブル等の本体に取付けられる第１の取付け金具と、前記テーブル等の支持脚に取付けられる第２の取付け金具とからなり、
前記第１の取付け金具は、前記支持脚が係合される係合凹部と、この係合凹部の内部に突出して設けられた回転可能な操作軸と、この操作軸に側方へ突出して設けられた第１のロックピン及び第２のロックピンとを備え、
前記第２の取付け金具は、前記支持脚が前記係合凹部に係合したとき、前記操作軸に嵌合されるとともに該操作軸の回転角度によって前記第１のロックピンと係合する第１のロック部と前記第１のロックピンとのロックが解除され、前記第１の取付け金具と前記第２の取付け金具とが分離される第１のロック解除部を有する嵌合孔を有する固定プレートと、前記支持脚の基端部に固定され前記固定プレートに対面する可動プレートと、前記固定プレートに離間して第１の軸及び第２の軸とを設け、前記可動プレートに離間して第３の軸及び第４の軸とを設け、前記第１の軸と第３の軸とをリンクによって回動自在に連結し、前記第２の軸と第４の軸とをリンクによって回動自在に連結して前記固定プレートに対して可動プレートを回動自在に連結した平行リンク機構と、前記リンクに設けられ前記操作軸に嵌合されるとともに該操作軸の回転角度によって前記第２のロックピンと係合する第２のロック部と前記第２のロックピンとのロックが解除される第２のロック解除部とを備え、
前記第２のロックピンと第２のロック部とのロックが解除されたとき、前記固定プレートに対して可動プレートが前記平行リンク機構の第１及び第２の軸を支点として回動可能となり、前記テーブル等の本体に対して支持脚が折畳み可能であることを特徴とするテーブル等における支持脚の取付け装置。
【請求項３】
前記平行リンク機構は、固定プレートに対して可動プレートを引き寄せる方向に付勢するトーションスプリングを備えていることを特徴とする請求項２記載のテーブル等における支持脚の取付け装置。
【発明の詳細な説明】
【技術分野】
【０００１】
この発明は、本体の下面に電気ヒータを備えたコタツ、座卓、ダイニングテーブル等の支持脚の取付け装置に関する。
【背景技術】
【０００２】
コタツ、座卓、ダイニングテーブルは、例えば、矩形状の本体をその四隅に設けられた支持脚によって支持されている。本体に対して支持脚が一体に設けられているもの、本体に対して別体の支持脚が取付けられているものとがある。
【０００３】
後者の場合、店頭に展示されているときは、本体に対して支持脚が取付けられた組立て状態であるが、例えば、輸送時には本体に対して支持脚が取り外されてコンパクトに梱包される。そして、配達先で、梱包を開き、本体を裏返しした状態で、その四隅に支持脚を取付ける作業を行っているが、支持脚は複数本のボルトによって本体に対して取付けられているのが普通である。
【発明の開示】
【発明が解決しようとする課題】
【０００４】
しかしながら、本体の四隅に支持脚をボルトによって取付ける作業は、工具が必要であると共に、ボルトを強固に締付けないと使用中にボルトが緩む虞があり、その作業が煩わしいという問題がある。また、コタツのように不使用時には格納する家具においては、支持脚が取り付いたままであると嵩張るため、本体に対して支持脚を取り外して格納しているが、その支持脚の着脱が困難であるという問題がある。
【０００５】
この発明は、前記事情に着目してなされたもので、その目的とするところは、本体に対して支持脚がワンタッチで着脱でき、しかも支持脚を本体に取付けたままワンタッチで折畳むことができるテーブル等の支持脚の取付け装置を提供することにある。
【課題を解決するための手段】
【０００６】
この発明は、前述した目的を達成するために、テーブル等の本体に取付けられる第１の取付け金具と、前記テーブル等の支持脚に取付けられる第２の取付け金具とからなり、前記第１の取付け金具は、前記支持脚が係合される係合凹部と、この係合凹部の内部に突出して設けられた回転可能な操作軸と、この操作軸に側方へ突出して設けられたロックピンとを備え、前記第２の取付け金具は、前記支持脚が前記係合凹部に係合したとき、前記操作軸に嵌合される嵌合孔を有し、この嵌合孔の周縁部に前記操作軸の回転角度によって前記ロックピンと係合して前記第１の取付け金具に対して前記第２の取付け金具が固定されるロック部と前記ロックピンとのロックが解除され、前記第１の取付け金具と前記第２の取付け金具とが分離されるロック解除部とを備えていることを特徴とするテーブル等における支持脚の取付け装置にある。
【０００７】
また、テーブル等の本体に取付けられる第１の取付け金具と、前記テーブル等の支持脚に取付けられる第２の取付け金具とからなり、前記第１の取付け金具は、前記支持脚が係合される係合凹部と、この係合凹部の内部に突出して設けられた回転可能な操作軸と、この操作軸に側方へ突出して設けられた第１のロックピン及び第２のロックピンとを備え、前記第２の取付け金具は、前記支持脚が前記係合凹部に係合したとき、前記操作軸に嵌合されるとともに該操作軸の回転角度によって前記第１のロックピンと係合する第１のロック部と前記第１のロックピンとのロックが解除され、前記第１の取付け金具と前記第２の取付け金具とが分離される第１のロック解除部を有する嵌合孔を有する固定プレートと、前記支持脚の基端部に固定され前記固定プレートに対面する可動プレートと、前記固定プレートに離間して第１の軸及び第２の軸とを設け、前記可動プレートに離間して第３の軸及び第４の軸とを設け、前記第１の軸と第３の軸とをリンクによって回動自在に連結し、前記第２の軸と第４の軸とをリンクによって回動自在に連結して前記固定プレートに対して可動プレートを回動自在に連結した平行リンク機構と、前記リンクに設けられ前記操作軸に嵌合されるとともに該操作軸の回転角度によって前記第２のロックピンと係合する第２のロック部と前記第２のロックピンとのロックが解除される第２のロック解除部とを備え、前記第２のロックピンと第２のロック部とのロックが解除されたとき、前記固定プレートに対して可動プレートが前記平行リンク機構の第１及び第２の軸を支点として回動可能となり、前記テーブル等の本体に対して支持脚が折畳み可能であることを特徴とするテーブル等における支持脚の取付け装置にある。
【発明の効果】
【０００８】
この発明によれば、ボルトや工具を用いることなく、本体に対して支持脚がワンタッチで着脱でき、しかも支持脚を本体に取付けたままワンタッチで折畳むことができ、収納の際にもコンパクトになるという効果がある。
【発明を実施するための最良の形態】
【０００９】
以下、この発明の実施の形態を図面に基づいて説明する。
【００１０】
図１〜図５は第１の実施形態を示し、図１はコタツの斜視図、図２は本体に対して支持脚が固定された状態の斜視図、図３は本体に対して支持脚を折畳む過程の斜視図、図４は第１の取付け金具と第２の取付け金具の斜視図、図５は第２の取付け金具を示し、（ａ）は縦断正面図、（ｂ）は縦断側面図である。
【００１１】
コタツ１を示し、コタツ１は矩形状の木製の本体２と、この本体２の四隅に設けられた木製の支持脚３と、本体２の下面中央部に設けられた電気ヒータ（図示しない）及び本体２に載置される木製の天板４とから構成されている。
【００１２】
本体２に対して取付けられる支持脚３は後述する取付け装置５によって着脱可能及び折畳み可能に設けられている。すなわち、取付け装置５は、本体２に取付けられる第１の取付け金具６と、支持脚３に取付けられる第２の取付け金具７とから構成されている。
【００１３】
第１の取付け金具６は、金属板を断面コ字状に折曲することにより形成された金具本体８を有し、本体２の裏面のコーナー部２ａに跨ぐように斜めに配置されている。そして、金具本体８の両端部は木ねじ等の固定ねじ９によって固定されている。金具本体８の長手方向の中間部における上下面には金具本体８の断面コ字状の開口方向に向かって開口する係合凹部１０が設けられている。この係合凹部１０に位置する金具本体８の背面には操作軸１１が貫通して設けられ、この操作軸１１の基端部は金具本体８の外側に、先端部は金具本体８の内側に突出して設けられている。
【００１４】
操作軸１１は金具本体８に対して回転自在に軸支されていて、その基端部には六角ナット形状の係合部１２が設けられている。操作軸１１の先端部にはその軸心に対して直角に側方へ突出する第１のロックピン１３と第２のロックピン１４とが操作軸１１の軸方向に離間して設けられている。
【００１５】
さらに、操作軸１１の係合部１２にはレンチ等の工具１５が係合され、操作軸１１を回転操作できるようになっており、係合部１２の一部には指標１６が設けられている。この指標１６に対応する金具本体８の背面には「脱着位置」、「固定位置」、「折畳み位置」が９０°間隔に文字表示され、指標１６が指す位置で操作軸１１の位置が判るようになっている。
【００１６】
前記第２の取付け金具７は、金具本体８の係合凹部１０に係合可能な固定プレート１７と、支持脚３の基端部に木ねじ等の固定ねじ９で固定される可動プレート１８を有している。固定プレート１７と可動プレート１８は矩形状の金属プレートによって形成され、可動プレート１８には固定ねじ９が挿通される取付け孔１９が設けられている。
【００１７】
固定プレート１７の中央部には可動プレート１８方向に突出する突出部１７ａが設けられ、この突出部１７ａには操作軸１１に嵌合される第１の嵌合孔２０が設けられている。第１の嵌合孔２０の周縁部には第１のロックピン１３とロックする第１のロック部２１が設けられている。さらに、第１の嵌合孔２０の周方向の一部、すなわち側部には第１と第２のロックピン１３，１４が挿通する切欠部からなる第１のロック解除部２２が設けられている。
【００１８】
すなわち、操作軸１１が第１の嵌合孔２０に嵌合された状態で、その操作軸１１の回転角度によって第１のロックピン１３が第１のロック部２１と係合して第１の取付け金具６に対して第２の取付け金具７を固定したり、第１のロックピン１３が第１のロック解除部２２を通過してロックが解除され、第１の取付け金具６と第２の取付け金具７とが分離されるようになっている。
【００１９】
固定プレート１７の可動プレート１８側における両側縁には一対の折曲片２３が設けられ、一対の折曲片２３間には離間して第１の軸２４と第２の軸２５が架設されている。可動プレート１８の固定プレート１７側における両側縁には一対の折曲片２６が設けられ、一対の折曲片２６間には離間して第３の軸２７と第４の軸２８が架設されている。
【００２０】
第１の軸２４と第２の軸２５は固定プレート１７の上方へ偏倚して設けられ、第３の軸２７と第４の軸２８は可動プレート１８の下方へ偏倚して設けられている。さらに、第１の軸２４と第３の軸２７とは第１のリンク２９によって回動自在に連結され、第２の軸２５と第４の軸２８とは第２のリンク３０によって回動自在に連結されている。従って、固定プレート１７に対して可動プレート１８を回動自在に連結した平行リンク機構３１が構成されている。
【００２１】
平行リンク機構３１を構成する第２のリンク３０はプレート状に形成され、この第２のリンク３０の中央部には第１の嵌合孔２０と同心的に、しかも操作軸１１が嵌合される第２の嵌合孔３２が設けられている。この第２の嵌合孔３２の周縁部には第２のロックピン１４とロックする第２のロック部３３が設けられている。さらに、第２の嵌合孔３２の周方向の一部、すなわち両側部には第２のロックピン１４が挿通する切欠部からなる第２のロック解除部３４が互いに対向して設けられている。
【００２２】
すなわち、操作軸１１が第２の嵌合孔３２に嵌合された状態で、その操作軸１１の回転角度によって第２のロックピン１４が第２のロック部３３と係合して固定プレート１７に対して可動プレート１８を固定したり、第２のロックピン１４が第２のロック解除部３４を通過してロックが解除され、固定プレート１７に対して可動プレート１８を回動自在にするようになっている。
【００２３】
さらに、平行リンク機構３１を構成する第４の軸２８にはトーションスプリング３５が巻装され、この一端部は第３の軸２７に、他端部は第２のリンク３０に係合され、固定プレート１７に対して可動プレート１８を引き寄せる方向に弾性的に付勢している。
【００２４】
次に、第１の実施形態の作用について説明する。
【００２５】
第１の取付け金具６の操作軸１１の指標１６が「脱着位置」を指しているとき、第１及び第２のロックピン１３,１４が第２の取付け金具７の第１と第２のロック解除部２２，３４と位相が一致しているため、操作軸１１は第１及び第２の嵌合孔２０，３２に対して挿脱自在である。従って、第１の取付け金具６と第２の取付け金具７とは分離された状態にあり、本体２に対して支持脚３は分離されている。
【００２６】
次に、支持脚３の基端部を係合凹部１０に係合し、第１の取付け金具６の操作軸１１に対して支持脚３側の第２の取付け金具７の第１の嵌合孔２０を嵌合すると、第１のロックピン１３は第１のロック解除部２２を通過し、第２のロックピン１４は第２のロック解除部３４を通過する。
【００２７】
この状態で、工具１５を係合部１２に係合し、操作軸１１を右方向に９０°回転すると、操作軸１１の指標１６が「固定位置」を指す。そして、第１のロックピン１３は第１のロック部２１に係合し、第２のロックピン１４は第２のロック部３３に係合する。従って、第１の取付け金具６と第２の取付け金具７とは結合された状態で固定され、本体２に対して支持脚３の基端部が垂直に固定される。
【００２８】
また、工具１５を係合部１２に係合し、操作軸１１をさらに右方向に９０°回転すると、操作軸１１の指標１６が「折畳み位置」を指す。そして、第１のロックピン１３と第１のロック部２１とは係合状態のまま、第２のロックピン１４は第２のロック解除部３４に対向して通過可能となる。従って、第１の取付け金具６と第２の取付け金具７とは結合された状態で、第２のロックピン１４と第２のリンク３０の第２のロック部３３とはロック解除される。
【００２９】
従って、第１及び第２のリンク２９，３０は第１〜第４の軸２４，２５，２７，２８に対して回動自在となる。そこで、支持脚３を本体２の下側に折畳む方向に会同させると、可動プレート１８は第１及び第２の軸２４,２５を中心として回動し、４本の支持脚３を本体２の下側に折畳むことができる。
【００３０】
なお、前記実施形態においては、係合部１２に工具１５を係合し、工具１５によって操作軸１１を回転するようにしたが、係合部１２に握り部を設け、握り部を手指によって握って回転させることもできる。
【００３１】
また、コタツについて説明したが、座卓、ダイニングテーブル等にも適用できる。また、本体のコーナー部に支持脚を設けることに限定されず、本体の辺部に支持脚を設ける場合にも適用できる。
【００３２】
なお、この発明は、前記実施形態そのままに限定されるものではなく、実施段階ではその要旨を逸脱しない範囲で構成要素を変形して具体化できる。また、前記実施形態に開示されている複数の構成要素の適宜な組合せにより種々の発明を形成できる。例えば、実施形態に示される全構成要素から幾つかの構成要素を削除してもよい。さらに、異なる実施形態に亘る構成要素を適宜組合わせてもよい。
【図面の簡単な説明】
【００３３】
【図１】この発明の第１の実施形態を示すコタツの斜視図。
【図２】同実施形態の本体に対して支持脚が固定された状態の斜視図。
【図３】同実施形態の本体に対して支持脚を折畳む過程の斜視図。
【図４】同実施形態の第１の取付け金具と第２の取付け金具の斜視図。
【図５】同実施形態の第２の取付け金具を示し、（ａ）は縦断正面図、（ｂ）は縦断側面図。
【符号の説明】
【００３４】
２…本体、３…支持脚、５…取付け装置、６…第１の取付け金具、７…第２の取付け金具、１０…係合凹部、１１…操作軸、１３…第１のロックピン、１４…第２のロックピン、１７…固定プレート、１８…可動プレート、２０…第１の嵌合孔、２１…第１のロック部、２２…第１のロック解除部、２４，２５，２７，２８…軸、２９…第１のリンク、３０…第２のリンク、３１…平行リンク機構、３２…第２の嵌合孔、３３…第２のロック部、３４…第２のロック解除部、３５…トーションスプリング
【図１】
2005118362.tif 000003
【図２】
2005118362.tif 000004
【図３】
2005118362.tif 000005
【図４】
2005118362.tif 000006
【図５】
2005118362.tif 000007